(57)【要約】【課題】本実施形態の放送信号受信装置は、録画した番組あるいはこれから放送される番組、あるいは動画配信サービス等で配信される動画コンテンツ等の中から、視聴したい番組をユーザが直感的に選択することが可能な選択画面を、提供することを目的とする。【解決手段】本実施形態の放送信号受信装置は、放送信号送信装置から送られてきた番組を受信するとともにサーバから送られてきた第１のキーワードと第１の画像データと第１の処理情報とを含む推薦情報が含まれる表示情報から構成される選択画面コンテンツを受信し、表示制御部と処理部と保存部とを有する。処理部は、第１のキーワードを用いて第１の処理情報の処理を行い第１の番組を検索して抽出する。表示制御部は、前記第１の番組の中の任意の数の番組の番組情報を含めて、選択画面コンテンツの選択画面を、表示装置に表示する。【選択図】図１
2020057918.tif 000002
【特許請求の範囲】
【請求項１】
放送信号送信装置から放送信号で送られてくる番組を受信するとともに、ネットワークを介して接続されたサーバから送られてくる、キーワード、領域情報および処理情報が含まれる１つまたは複数の推薦情報を含む表示情報により構成される選択画面コンテンツを受信する放送信号受信装置において、
前記選択画面コンテンツの前記表示情報をもとに表示装置に選択画面を表示する表示制御部と、
前記キーワードを用いて前記処理情報の処理を行う処理部と、
前記番組を録画して保存する保存部と
を具備し、
前記処理部は、前記保存部に保存された録画された前記番組の中から、前記推薦情報に含まれる前記キーワードに該当する第１の番組又は前記放送信号送信装置からこれから送られてくる前記番組の中から前記キーワードに該当する第２の番組、の少なくとも一方を検索し抽出し、
前記表示制御部は、前記表示情報をもとに前記選択画面を前記表示装置に表示する際に、前記第１の番組又は前記第２の番組の少なくとも一方の中から任意の数の番組の番組情報を、前記推薦情報に含まれる前記領域情報により決定する領域の少なくとも一部を含む位置、あるいは領域に接する位置、あるいは領域の近傍の位置、の少なくとも１つの位置に配置にして表示する放送信号受信装置。
【請求項２】
前記選択画面コンテンツの前記表示情報は、第１のキーワード、第１の領域情報および第１の処理情報が含まれる第１の推薦情報と、第２のキーワード、第２の領域情報および第２の処理情報が含まれる第２の推薦情報とを含み、前記第１の推薦情報により作成される第１の番組情報を第１の領域情報により配置される第１の領域の近傍に表示するように設定し、前記第２の推薦情報により作成される第２の番組情報を前記第２の領域情報により配置される第２の領域の近傍に表示するように設定した場合、前記第１の番組情報を表示する位置と前記第１の領域との最短距離は、前記第１の番組情報を表示する位置と前記第２の領域との最短距離より短くなるように前記第１の番組情報を表示するように設定し、
前記表示制御部は、前記表示情報をもとに、前記第１の番組情報を表示する位置と前記第１の領域との最短距離を、前記第１の番組情報を表示する位置と前記第２の領域との最短距離より短くなるように表示する請求項１に記載の放送信号受信装置。
【請求項３】
前記処理部は、さらに前記ネットワークにより送られてくる動画コンテンツの中から前記キーワードに該当する第３の番組を検索し抽出し、前記表示制御部は、前記表示情報をもとに前記選択画面を前記表示装置に表示する際に、前記第１の番組又は前記第２の番組又は前記第３の番組、の少なくとも１つの中から任意の数の番組の番組情報を、前記推薦情報に含まれる前記領域情報により決定する領域の少なくとも一部を含む位置、あるいは領域に接する位置、あるいは領域の近傍の位置、の少なくとも１つの位置に配置にして表示する請求項１に記載の放送信号受信装置。
【請求項４】
前記選択画面コンテンツの前記表示情報に含まれる前記推薦情報は、前記領域情報に配置する画像データを含み、
前記表示制御部は、前記領域情報により決定される領域に、前記画像データを配置して表示する請求項１に記載の放送信号受信装置。
【請求項５】
前記表示制御部は、前記画像データを任意の大きさで前記表示装置に表示する、請求項４に記載の放送信号受信装置。
【請求項６】
請求項１から請求項５のいずれか１項に記載の放送信号受信装置と、放送信号送信装置と、サーバと、を有する放送信号送受信システム。
【請求項７】
放送信号送信装置から放送信号で送られてくる番組を受信するとともに、ネットワークを介して接続されたサーバから送られてくる、キーワード、領域情報および処理情報が含まれる１つまたは複数の推薦情報を含む表示情報により構成される選択画面コンテンツを受信する放送信号受信装置における選択画面の表示方法において、
前記選択画面コンテンツの前記表示情報をもとに表示装置に前記選択画面を表示するステップと、
前記キーワードを用いて前記処理情報の処理を行うステップと、
前記放送信号送信装置から送られてくる前記番組を録画して保存するステップと、
を有し、
保存された録画番組の中から、前記推薦情報に含まれる前記キーワードに該当する第１の番組又は前記放送信号送信装置からこれから送られてくる前記番組の中から前記キーワードに該当する第２の番組、の少なくとも一方を検索し抽出し、前記表示情報をもとに前記選択画面を前記表示装置に表示する際に、前記第１の番組又は前記第２の番組の少なくとも一方の中から任意の数の番組の番組情報を、前記推薦情報に含まれる前記領域情報により決定する領域を含む位置、あるいは領域に接する位置、あるいは領域の近傍の位置、の少なくとも１つの位置に配置にして表示する選択画面表示方法。
【発明の詳細な説明】
【技術分野】
【０００１】
本発明の実施形態は、放送信号受信装置および放送信号受信装置におけるコンテンツ表示方法に関する。
【背景技術】
【０００２】
放送信号受信装置は、ＨＤＤ（Hard Disk Drive）等記録メディアの低価格化に伴い、受信する大量の放送番組を大容量の記録メディアに録画することが一般的になっている。また放送信号受信装置は、ネットワークを通じて動画配信サービスによる動画コンテンツを受信することも可能である。
【０００３】
そのため放送信号受信装置は、一般的に、大容量の記録メディアに録画された大量の番組やこれから放送される番組、ネットワークを通じた動画配信サービスで配信される動画コンテンツの中から、ユーザが視聴したい番組やコンテンツを容易に探すための機能を備えている。
【先行技術文献】
【特許文献】
【０００４】
【特許文献１】特開２００２−３３５４５９号公報
【発明の概要】
【発明が解決しようとする課題】
【０００５】
本実施形態の放送信号受信装置は、録画した番組あるいはこれから放送される番組、あるいは動画配信サービス等で配信される動画コンテンツ等の中から、視聴したい番組をユーザが直感的に選択することが可能な選択画面を、提供することを目的とする。
【課題を解決するための手段】
【０００６】
本実施形態の放送信号受信装置は、放送信号送信装置から放送信号で送られてくる番組を受信するとともに、ネットワークを介して接続されたサーバから送られてくる、キーワード、領域情報および処理情報が含まれる１つまたは複数の推薦情報を含む表示情報により構成される選択画面コンテンツを受信する放送信号受信装置において、
前記選択画面コンテンツの前記表示情報をもとに表示装置に選択画面を表示する表示制御部と、
前記キーワードを用いて前記処理情報の処理を行う処理部と、
前記番組を録画して保存する保存部と
を具備し、
前記処理部は、前記保存部に保存された録画された前記番組の中から、前記推薦情報に含まれる前記キーワードに該当する第１の番組又は前記放送信号送信装置からこれから送られてくる前記番組の中から前記キーワードに該当する第２の番組、の少なくとも一方を検索し抽出し、前記表示制御部は、前記表示情報をもとに前記選択画面を前記表示装置に表示する際に、前記第１の番組又は前記第２の番組の少なくとも一方の中から任意の数の番組の番組情報を、前記推薦情報に含まれる前記領域情報により決定する領域の少なくとも一部を含む位置、あるいは領域に接する位置、あるいは領域の近傍の位置、の少なくとも１つの位置に配置して表示する放送信号受信装置である。
【図面の簡単な説明】
【０００７】
【図１】図１は、本発明の実施形態に係る放送信号受信装置（手段）を含むシステム全体の構成例を示す図である。
【図２】図２は、本発明の実施形態に係る放送信号送信装置（手段）の構成例を概略的に示した図である。
【図３】図３は、本発明の実施形態に係る放送信号受信装置（手段）の構成例を概略的に示した図である。
【図４】図４は、本発明の実施形態に係るクラウドサービスサーバの表示情報生成部１２１が作成する表示情報に含まれる、推薦情報の一例である。
【図５】図５は、本発明の実施形態に係る放送信号受信装置が、クラウドサービスサーバから送られてきた選択画面コンテンツを表示制御手段で解析し、表示装置に選択画面を表示した場合の表示例である。
【図６】図６は、本発明の実施形態に係る放送信号受信装置が、クラウドサービスサーバから送られてきた選択画面コンテンツを表示制御手段で解析し、表示装置に選択画面を表示した場合の他の表示例である。
【図７】図７は、本発明の実施形態に係る放送信号受信装置が、トップ画像の画像領域内に表示している「もっと見る」がユーザにより選択された場合に表示する、選択画面の表示例である。
【図８】図８は、本発明の実施形態に係る放送信号受信装置が、トップ画像の画像領域内に表示している「もっと見る」がユーザにより選択された場合に表示する、選択画面の他の表示例である。
【発明を実施するための形態】
【０００８】
以下、実施の形態について図面を用いて説明する。
図１は、本発明の実施形態に係る放送信号受信装置（手段）１４０を含むシステム全体の構成例を示す図である。本システムは、放送信号送信装置（手段）１００、放送信号受信装置１４０、通信衛星１５０、クラウドサービスサーバ１２０、動画配信サービス１７０を含む。
【０００９】
放送信号受信装置（手段）１４０は、放送信号送信装置（手段）１００により放送された番組のうち録画した番組、あるいは放送信号送信装置（手段）１００によりこれから放送される番組、あるいは動画配信サービス１７０によりネットワーク１８０を介して配信される動画コンテンツ等の中から、視聴したい番組や動画コンテンツをユーザが直感的に選択することが可能な選択画面を、表示する機能を有する。
【００１０】
ユーザが直感的に選択することが可能な選択画面を持つ選択画面コンテンツは、クラウドサービスサーバ１２０で生成される推薦情報をもとに構成される。推薦情報に関しては、図４を用いて、推薦情報をもとに構成される選択画面コンテンツの表示内容に関しては、図５を用いて説明する。
【００１１】
放送番組を放送する放送信号送信装置１００は、放送番組サーバ１０１および第１の基本機能１０２を備える。放送信号送信装置１００は、放送局とも呼ぶ。また放送信号送信装置１００は、各放送事業者の番組を集約して通信衛星１５０にアップリンクする地上局であってもよい。
【００１２】
放送番組サーバ１０１は、放送信号送信装置１００として放送する番組のデータ、番組の名称、放送日時、内容の説明等を予め保存しておくエリアである。放送番組サーバ１０１は、各放送事業者から送られてきた番組等のデータを保存するサーバであってもよい。
【００１３】
第１の基本機能１０２は、放送信号送信装置１００の基本的な機能であり、放送する番組の映像データや音声データを符号化（エンコードとも呼ぶ）し、制御情報であるＳＩ(Signaling Information)信号を含めて多重化して放送信号として送出する機能を持つ。制御情報であるＳＩは、ＴＬＶ(Type Length Value)パケットまたはＭＭＴ(MPEG Media Transport)の制御情報である。また放送信号の多重化方式は、ＭＭＴ・ＴＬＶ方式を準拠するものとする。
【００１４】
放送信号受信装置（手段）１４０は、第２の基本機能１４１、制御手段１４２を含む。また放送信号受信装置１４０は、周辺機器と接続するためのＵＳＢ（Universal Serial bus）やＨＤＭＩ(登録商標)等のＩ／Ｆを介して、表示装置１６０、ＨＤＤ（Hard Disk Drive）１６２等と接続可能である。放送信号受信装置（手段）１４０は、ネットワーク１８０を介してクラウドサービスサーバ１２０や動画配信サービス１７０との接続が可能である。放送信号受信装置（手段）１４０は、テレビジョン受信装置とも呼ぶ。
【００１５】
第２の基本機能１４１は、放送信号受信装置１４０としての基本的な機能であり、放送信号送信装置１００から送られてくる放送信号を受信し、放送信号に含まれる符号化された映像信号（映像ストリームとも呼ぶ）、符号化された音声信号（音声ストリームとも呼ぶ）、ＳＩ信号を分離し、映像信号および音声信号を復号化（デコードとも呼ぶ）したり、ＳＩ信号を解析したりする機能を持つ。
【００１６】
制御手段１４２は、放送信号受信装置１４０の全体的な動作を制御する手段である。また制御手段１４２は、放送信号受信装置１４０に接続されている周辺機器、例えば表示装置１６０、スピーカ１６１、放送信号受信装置１４０にバインドされているＨＤＤ１６２等との接続の管理やデータの送受信の管理も行う。また制御手段１４２は、ネットワーク１８０を介してクラウドサービスサーバ１２０や動画配信サービス１７０とのデータの送受信の管理も行う。また制御手段１４２は、放送信号として送られてきた番組を、録画して保存する録画処理および録画番組の保存管理も行う。録画した番組を保存する場所は、放送信号受信装置１４０にバインドされているＨＤＤ１６２、あるいは放送信号受信装置１４０が内部に持つ記憶領域（図示せず）でもよい。
【００１７】
表示装置１６０は、第２の基本機能１４１で受信した放送信号に含まれる映像を表示する手段である。また表示装置１６０は、ネットワーク１８０を介してクラウドサービスサーバ１２０が作成するコンテンツを表示することが可能である。また表示装置１６０は、ネットワーク１８０を介して受信した動画配信サービス１７０が配信する動画コンテンツを表示することが可能である。
【００１８】
表示装置１６０は、受信した放送信号や動画コンテンツに含まれる音声信号を出力するスピーカ１６１を内蔵していてもよい。また放送信号や動画コンテンツに含まれる音声信号を出力する装置は、表示装置１６０に内蔵されているスピーカ１６１とは別にＵＳＢやＨＤＭＩ等のＩ／Ｆにより放送信号受信装置１４０と接続された外部のスピーカやヘッドフォンであってもよい。
【００１９】
図１の例の表示装置１６０は、放送信号受信装置１４０と別体として記載した例であるが、放送信号受信装置１４０の１機能として放送信号受信装置１４０と一体であってもよい。
図２は、本発明の実施形態に係る放送信号送信装置（手段）１００の構成例を概略的に示した図である。
【００２０】
放送信号送信装置１００は、放送する番組データ等を保存する放送局サーバ１０１と放送信号を送信する送信機能である第１の基本機能１０２とを含む。
第１の基本機能１０２は、音声エンコーダ２１１、映像エンコーダ２１２、制御情報生成手段２１３、スクランブラ２１５、ＣＡＳモジュール２１６、マルチプレクサ２１７、送信手段２１８を含む。
【００２１】
音声エンコーダ２１１は、放送局サーバ１０１に保存されている番組の音声データをエンコードする機能を持つ。音声エンコーダ２１１は、放送する番組を放送局サーバ１０１から読み出すと、読み出した番組の音声データをエンコードする。
映像エンコーダ２１２は、放送局サーバ１０１に保存されている番組の映像データをエンコードする機能を持つ。映像エンコーダ２１２は、放送する番組を放送局サーバ１０１から読み出すと、読み出した番組の映像データをエンコードする。
【００２２】
制御情報生成手段２１３は、ＴＬＶパケットおよびＭＭＴの制御情報を生成する機能を持つ。ＴＬＶパケットの制御情報とは、ＩＰパケットの多重に関する制御情報（ＴＬＶ-ＳＩとも呼ばれる）であり、選局のための情報やＩＰアドレスとサービスの対応情報を提供する。またＭＭＴの制御情報とは、ＭＭＴのパッケージの構成や放送サービスに関連する制御情報（ＭＭＴ-ＳＩとも呼ばれる）である。制御情報生成手段は、音声エンコーダ２１１、映像エンコーダ２１２がエンコード対象とした番組に関する制御情報を含むＴＬＶパケットおよびＭＭＴの制御情報の信号を生成する。
【００２３】
スクランブラ２１５は、音声エンコーダ２１１から出力されたエンコードされた音声ストリームおよび映像エンコーダ２１２から出力されたエンコードされた映像ストリームを、ＣＡＳモジュール２１６と連携してスクランブルする機能を持つ。
ＣＡＳモジュール２１６は、スクランブラ２１５がスクランブルする際に使用する鍵を生成する。
【００２４】
マルチプレクサ２１７は、スクランブラ２１５によりスクランブルされた音声ストリームおよび映像ストリームと、制御情報生成手段２１４で生成された制御情報とを、ＭＭＴ・ＴＬＶ方式で多重する機能を持つ。
マルチプレクサ２１７は、音声ストリーム、映像ストリーム、ＴＬＶパケットおよびＭＭＴの制御情報を多重化したＴＬＶストリームを生成する。
【００２５】
送信手段２１８は、ＴＬＶストリームを放送波として送出する機能を持つ。送信手段２１８は、マルチプレクサ２１７が生成したＴＬＶストリームを、１６ＡＰＳＫなどの変調や誤り訂正符号化などの伝送路符号化処理を行い放送波として送出する。
図３は、本発明の実施形態に係る放送信号受信装置（手段）１４０の構成例を概略的に示した図である。
【００２６】
放送信号受信装置１４０は、放送信号を受信する受信機能である第２の基本機能１４１と制御手段１４２とを含む。
第２の基本機能１４１は、放送チューナー３０１、復調器３０２、デマルチプレクサＡ３０３、デスクランブラ３０４、制御情報解析手段３０５、ＣＡＳモジュール３０６、映像デコーダＡ３１０、音声デコーダＡ３１１、デマルチプレクサＢ３２１、映像デコーダＢ３２２、音声デコーダＢ３２３、表示制御手段３２４を含む。
【００２７】
放送チューナー３０１は、放送Ｉ／Ｆ３３１から入力された放送信号のうち、必要な放送信号を検出し、検出した放送信号を復調器３０２に入力する。
復調器３０２は、多重化されているＴＬＶストリームを復調し、復調したＴＬＶストリームをデマルチプレクサＡ３０３に入力する。
【００２８】
デマルチプレクサＡ３０３は、入力されたＴＬＶストリームを、映像ストリーム、音声ストリームおよび制御情報に分離する。デマルチプレクサＡ３０３は、スクランブルされている音声ストリームと映像ストリームとを、デスクランブラ３０４に入力する。またデマルチプレクサＡ３０３は、スクランブルされていない制御情報を、制御情報解析手段３０５に入力する。
【００２９】
制御情報解析手段３０５は、入力された制御情報に含まれるＥＭＭ/ＥＭＣを抽出し、抽出したＥＭＭ／ＥＭＣをＣＡＳモジュール３０６に入力する。
ＣＡＳモジュール３０６は、デスクランブラ３０４が音声ストリームと映像ストリームをデスクランブルする際に使用する鍵を、入力されたＥＭＭ／ＥＭＣを用いて生成し、デスクランブラ３０４に送信する。
【００３０】
デスクランブラ３０４は、ＣＡＳモジュール３０６から送信された鍵を用いて、スクランブルされている音声ストリームおよび映像ストリームをデスクランブルする。デスクランブラ３０４は、デスクランブルした映像ストリームを映像デコーダＡ３１０に、音声ストリームを音声デコーダＡ３１１に入力する。
【００３１】
映像デコーダＡ３１０は、入力された映像ストリームをデコードし、例えば表示装置３４０に表示する映像信号を生成し、映像出力Ｉ／Ｆ３３３に出力する。
音声デコーダＡ３１１は、入力された音声ストリームをデコードし、例えばスピーカ３４１に出力する音声信号を生成し、音声出力Ｉ／Ｆ３３４に出力する。
【００３２】
映像出力Ｉ／Ｆ３３３は、放送信号受信装置１４０が備える表示装置３４０に映像信号を出力するためのＩ／Ｆである。映像出力Ｉ／Ｆ３３３は、映像デコーダＡ３１０から入力された映像信号を、表示装置３４０に出力する。
音声出力Ｉ／Ｆ３３４は、放送信号受信装置１４０が備えるスピーカ３４１に音声信号を出力するためのＩ／Ｆである。音声出力Ｉ／Ｆ３３４は、音声デコーダＡ３１１から入力された音声信号を、スピーカ３４１に出力する。
【００３３】
また放送信号受信装置１４０は、動画配信サービス１７０が配信する動画コンテンツを受信して、動画コンテンツを再生することも可能である。動画配信サービス１７０が配信した動画コンテンツは、通信Ｉ／Ｆ３３２を経由して通信処理３２０に入力される。
【００３４】
動画配信サービス１７０が配信する動画コンテンツは、動画コンテンツ本体である映像と音声のデータに加え、動画コンテンツを表示装置３４０に表示するためのレイアウトに関する情報や制御情報等の表示情報を含む。
通信処理３２０は、受信した動画コンテンツに含まれる映像データと音声データとが多重化されたデータを、デマルチプレクサＢ３２１に出力する。また通信処理３２０は、受信した動画コンテンツに含まれる表示情報を、表示制御手段３２４に出力する。
【００３５】
デマルチプレクサＢ３２１は、通信処理３２０から入力された多重化されたデータを、映像データと音声データに分離する。デマルチプレクサＢ３２１は、分離した映像データを映像デコーダＢ３２２に入力し、音声データを音声デコーダＢ３２３に入力する。
【００３６】
映像デコーダＢ３２２は、入力された映像データをデコードし、例えば表示装置３４０に表示する映像信号を生成する。
表示制御手段３２４は、通信処理３２０から送られてきた表示情報を解析し、受信した動画コンテンツを、表示装置３４０に表示するレイアウトに構成した映像信号を生成する。表示制御手段３２４は、表示装置３４０に表示するレイアウトに構成された映像信号に、映像デコーダＢ３２２が生成した映像信号を合成処理３１２で合成して、映像出力Ｉ／Ｆ３３３に出力する。映像出力Ｉ／Ｆ３３３は、合成処理３１２で合成された映像信号を、表示装置３４０に出力する。表示制御手段３２４は、例えばブラウザである。
【００３７】
音声デコーダＢ３２３は、入力された音声データをデコードし、例えばスピーカ３４１に出力する音声信号を生成して、音声出力Ｉ／Ｆ３３４に出力する。音声出力Ｉ／Ｆ３３４は、音声デコーダＢ３２３から入力された音声信号を、スピーカ３４１に出力する。
【００３８】
また放送信号受信装置１４０は、クラウドサービスサーバ１２０から、視聴したい番組をユーザが直感的に選択することが可能な選択画面を構成する選択画面コンテンツを、受信することも可能である。クラウドサービスサーバ１２０から送られてくる選択画面コンテンツは、通信Ｉ／Ｆ３３２を経由して通信処理３２０に入力される。
【００３９】
クラウドサービスサーバ１２０が送信する選択画面コンテンツは、選択画面コンテンツを放送信号受信装置１４０の表示装置３４０に表示すためのレイアウトに関する情報や制御情報等を含む表示情報に加え、放送信号受信装置１４０のユーザに対して、大量に存在する番組や動画コンテンツの中から、ある観点（テーマと呼んでもよい）に従ったユーザに視聴を勧める番組や動画コンテンツの集合体を提供するための、推薦情報を含む。
【００４０】
選択画面コンテンツは、クラウドサービスサーバ１２０の管理者によって作成される。また選択画面コンテンツは、動画データや音声データを含んでもよい。
通信処理３２０は、受信した選択画面コンテンツに含まれる表示情報を表示制御手段３２４に出力する。選択画面コンテンツに動画データや音声データが含まれる場合は、動画配信サービス１７０が配信する動画コンテンツを受信した場合同様に、通信処理３２０は映像データと音声データとが多重化されたデータを、デマルチプレクサＢ３２１に出力する。
【００４１】
表示制御手段３２４は、通信処理３２０から送られてきた表示情報を解析し、受信した選択画面コンテンツを、表示装置３４０に表示するレイアウトに構成した映像信号として生成する。また表示制御手段３２４は、表示情報に含まれる処理情報を処理する処理部（図示せず）を含む。
【００４２】
表示制御手段３２４は、さらに表示装置３４０に表示するレイアウトに構成した映像信号を生成する際に、選択画面コンテンツに含まれる推薦情報を用いて、視聴したい番組をユーザが直感的に選択することが可能な選択画面の映像信号を生成する。表示制御手段３２４は、選択画面コンテンツを表示するための映像信号を、映像出力Ｉ／Ｆ３３３に出力する。映像出力Ｉ／Ｆ３３３は、映像デコーダＢ３２２から入力された映像信号を、表示装置３４０に出力する。
【００４３】
これらの第２の基本機能１４１に含まれる各機能ブロックは、システムバス３５０を介して接続されているＣＰＵ３５４の動作により制御される。
ＣＰＵ３５４は、システムバス３５０を介して第２の基本機能１４１に含まれる各機能ブロックと接続されており、またシステムバス３５０を介してＲＡＭ（主メモリ）３５３、ＲＯＭ３５２、ＮＶＲＡＭ３５１、記憶領域３５５と接続され、放送信号受信装置１４０全体を制御している。システムバス３５０、ＮＶＲＡＭ３５１、ＲＯＭ３５２、ＲＡＭ３５３、ＣＰＵ３５４、記憶領域３５５をまとめて制御手段１４２と呼ぶ。
【００４４】
記憶領域３５５は、放送信号受信装置１４０が受信した番組を録画して保存する領域である。なお、図３の例は、放送信号受信装置１４０内に録画番組を保存する領域を持つ例であるが、それに限らず、放送信号受信装置１４０に接続された外部の保存領域に保存してもよい。
【００４５】
クラウドサービスサーバ１２０は、視聴したい番組をユーザが直感的に選択することが可能な選択画面を構成する選択画面コンテンツを生成し、ネットワーク１８０を介して放送信号受信装置１４０に送信するサーバである。クラウドサービスサーバ１２０は、任意の場所、任意の拠点に配置されてよい。
【００４６】
クラウドサービスサーバ１２０は、表示情報生成部１２１と画像データ作成部１２２とを含む。
表示情報生成部１２１は、選択画面コンテンツの表示内容や表示レイアウトに関する情報、選択画面コンテンツを表示するための制御情報等を含む表示情報を生成する。表示情報生成部１２１は、画像データ作成部１２２が生成する画像データのレイアウトに関する情報も含む。また表示情報生成部１２１は、推薦情報を生成して、表示情報に含める。
【００４７】
表示情報は、例えばＨＴＭＬ５で記述された情報である。
画像データ作成部１２２は、選択画面コンテンツに含める画像データを生成する。画像データは、例えばＪＰＥＧフォーマットに従うデータである。
クラウドサービスサーバ１２０は、ネットワーク１８０を介して放送信号受信装置１４０から選択画面コンテンツの送信要求を受けると、表示情報生成部１２１が生成した表示情報と画像データ作成部１２２が生成した画像データとを放送信号受信装置１４０に送信する。
【００４８】
動画配信サービス１７０は、ネットワーク１８０を介して動画コンテンツを放送信号受信装置１４０に配信するサーバである。
放送信号送信装置１００および放送信号受信装置１４０は、一例として高度ＢＳデジタル放送、高度広帯域ＣＳデジタル放送に対応した放送信号送信装置および放送信号受信装置として説明したが、これに限定されない。放送信号送信装置１００および放送信号受信装置１４０は、例えば地上デジタルテレビジョン放送、ＢＳデジタル放送、広帯域ＣＳデジタル放送等に対応した放送信号送信装置および放送信号受信装置であってもよい。
【００４９】
図４は、本発明の実施形態に係るクラウドサービスサーバ１２０の表示情報生成部１２１が作成する表示情報に含まれる、推薦情報の一例である。
推薦情報は、放送信号受信装置１４０のユーザに対して、大量に存在する番組や動画コンテンツの中から、ある観点（テーマ）に従ってユーザに視聴を勧める番組や動画コンテンツの集合体を提供するための情報である。
【００５０】
例えばユーザに視聴を勧める番組や動画コンテンツの集合体として、「夏のおすすめ番組」という観点（テーマ）の番組や動画コンテンツの集合体をユーザに勧めるものとする。クラウドサービスサーバ１２０の表示情報生成部１２１は、放送信号受信装置１４０の表示制御手段３２４が「夏のおすすめ番組」という観点（テーマ）の選択画面を表示装置３４０に表示できるように、「夏のおすすめ番組」という観点の推薦情報を作成する。
【００５１】
観点は、例えば「タレント別」であったり、「人気別」であったり、「大人用アニメ」であったり、「女子ゴルフツアー」であったりしてもよい。
推薦情報は、キーワード４０１、トップ画像４０２、処理情報４０３を含む。推薦情報は、１つの選択画面コンテンツの表示情報の中に複数含めることが可能であり、それぞれの推薦情報には、それぞれ異なる種類のキーワード４０１、トップ画像４０２、処理情報４０３が含まれる。図４の例は、１つの選択画面コンテンツに３つの推薦情報がある場合の例である。
【００５２】
トップ画像４０２は、推薦情報の観点を表現する画像である。トップ画像４０２は、画像データ作成部１２２で作成される。例えば「夏のおすすめ番組」という観点の推薦情報の場合、トップ画像４０２の内容は観点である「夏のおすすめ番組」を表現した画像であることが望ましい。トップ画像４０２−１は、観点が「夏のおすすめ番組」の場合のトップ画像の例である。
【００５３】
トップ画像４０２の大きさは任意であり、例えば話題性、特異性が高い推薦情報のアイコン画像の大きさは大きくしてもよい。あるいはまた季節性、短期間性が高い推薦情報のアイコン画像の大きさは大きくしてもよい。
キーワード４０１は、推薦情報の観点に対応して、ユーザに視聴を勧める番組や動画コンテンツを検索するためのキーワードである。キーワード４０１は、ユーザに視聴を勧める番組や動画コンテンツの、例えばタイトル、ジャンル、登場人物、特定のシーンの名称など、番組や動画コンテンツの特徴を表現する単語である。キーワード４０１は、１つまたは複数設定可能である。キーワード４０１−１は、観点が「夏のおすすめ番組」の場合のキーワードの例である。
【００５４】
処理情報４０３は、放送信号受信装置１４０の表示制御手段３２４において、ユーザに視聴を勧める番組や動画コンテンツとして、推薦情報に含まれるキーワード４０１に該当する番組や動画コンテンツを検索して抽出するための処理を記載した情報である。検索して抽出する対象の番組や動画コンテンツは、放送信号受信装置１４０が受信する番組は動画コンテンツの中の一部でもよい。例えば放送信号受信装置１４０が受信する番組や動画コンテンツのうち、録画済みの番組だけを対象にして推薦情報に含まれるキーワード４０１に該当する番組を検索して抽出することも可能である。あるいはまた放送信号受信装置１４０が受信する番組は動画コンテンツのうち、録画済み番組に含まれる特定のチャンネルの番組だけを対象にして推薦情報に含まれるキーワード４０１に該当する番組を検索して抽出することも可能である。処理１（４０３−１）は、観点が「夏のおすすめ番組」の場合の処理情報の例である。
【００５５】
同様に図４の例は、観点が「今週の特集」の場合のトップ画像４０２−２、キーワード４０１−２、処理情報４０３−２と、観点が「明日のおすすめ」の場合のトップ画像４０２−３、キーワード４０１−３、処理情報４０３−３とを示している。
図５は、本発明の実施形態に係る放送信号受信装置１４０が、クラウドサービスサーバ１２０から送られてきた選択画面コンテンツを表示制御手段３２４で解析し、表示装置３４０に選択画面５００を表示した場合の表示例である。
【００５６】
放送信号受信装置１４０は、選択画面コンテンツの表示情報に含まれる推薦情報を使用して、視聴したい番組をユーザが直感的に選択することが可能な選択画面５００を構成することが可能である。
図５の例の選択画面５００の中の「夏のおすすめ番組」のトップ画像５１０は、表示制御手段３２４が、図４に示す推薦情報のうちＮｏ１の推薦情報に含まれるキーワード４０１−１、トップ画像４０２−１、処理情報４０３−１を用いて、処理情報４０３−１に記載されている処理１の内容によりキーワード４０１−１に該当する番組や動画コンテンツを検索して抽出した結果である「〇〇ターミナル」５１１、「〇〇ロードショー」５１２、「Ｎｅｗｓ〇〇」５１３の各番組名を含む番組に関する情報を、トップ画像４０２−１の画像領域内に表示した例である。
【００５７】
「〇〇ターミナル」５１１、「〇〇ロードショー」５１２、「Ｎｅｗｓ〇〇」５１３の各番組名を含む情報は、アイコン画像で構成されていてもよい。ユーザが各アイコン画像を選択すると、表示制御手段３２４は、選択されたアイコン画像に対応した番組や動画コンテンツにおける、例えば番組の再生開始画面に遷移して表示装置３４０に表示したり、番組の放送予定内容の詳細説明画面（番組表）に遷移して表示装置３４０に表示したり、動画配信サービス１７０の接続画面に遷移して表示装置３４０に表示したりする。
【００５８】
また「夏のおすすめ番組」のトップ画像５１０の画像領域内の「もっと見る」を選択することで、表示制御手段３２４は、図７または図８に示すようにキーワードに該当する番組の他の番組名の一覧の表示画面に遷移することが可能である。
同様に選択画面５００の中の「今週の特集」のトップ画像５２０は、表示制御手段３２４が、図４に示す推薦情報のうちＮｏ２の推薦情報に含まれるキーワード４０１−２、トップ画像４０２−２、処理情報４０３−２を用いて、処理情報４０３−２に記載されている処理２の内容によりキーワード４０１−２に該当する番組や動画コンテンツを検索して抽出した結果である「〇〇家庭の医学」５２１、「魔法少女〇〇」５２２、「〇〇のサッカー」５２３の各番組名を含む番組に関する情報を、トップ画像４０２−２の画像領域内に表示した例である。
【００５９】
「〇〇家庭の医学」５２１、「魔法少女〇〇」５２２、「〇〇のサッカー」５２３の各番組名を含む情報は、アイコン画像で構成されていてもよい。ユーザが各アイコン画像を選択すると、表示制御手段３２４は、選択されたアイコン画像に対応した番組や動画コンテンツにおける、例えば番組の再生開始画面に遷移して表示装置３４０に表示したり、番組の放送予定内容の詳細説明画面（番組表）に遷移して表示装置３４０に表示したり、動画配信サービス１７０の接続画面に遷移して表示装置３４０に表示したりする。
【００６０】
また「今週の特集」のトップ画像５２０の画像領域内の「もっと見る」を選択することで、表示制御手段３２４は、図７または図８に示すようにキーワードに該当する番組の他の番組名の一覧の表示画面に遷移することが可能である。
同様に選択画面５００の中の「明日のおすすめ」のトップ画像５３０は、表示制御手段３２４が、図４に示す推薦情報のうちＮｏ３の推薦情報に含まれるキーワード４０１−３、トップ画像４０２−３、処理情報４０３−３を用いて、処理情報４０３−３に記載されている処理３の内容によりキーワード４０１−３に該当する番組や動画コンテンツを検索して抽出した結果である「〇〇ミュージカルショー」５３１の各番組名を含む番組関する情報を、トップ画像４０２−３の画像領域内に表示した例である。
【００６１】
「〇〇ミュージカルショー」５３１の番組名を含む情報は、アイコン画像で構成されていてもよい。ユーザが各アイコン画像を選択すると、表示制御手段３２４は、選択されたアイコン画像に対応した番組や動画コンテンツにおける、例えば番組の再生開始画面に遷移して表示装置３４０に表示したり、番組の放送予定内容の詳細説明画面（番組表）に遷移して表示装置３４０に表示したり、動画配信サービス１７０の接続画面に遷移して表示装置３４０に表示したりする。
【００６２】
また「明日のおすすめ」のトップ画像５３０の画像領域内の「もっと見る」を選択することで、表示制御手段３２４は、図７または図８に示すようにキーワードに該当する番組の他の番組名の一覧の表示画面に遷移することが可能である。
図５の例は、番組名を含む番組やコンテンツに関する情報をトップ画像４０２の画像領域内の位置に配置して表示した例であるがこれに限らない。番組名を含む情報は、その一部がトップ画像４０２の画像領域内に含まれる位置に配置して表示してもよい。あるいは番組名を含む情報は、トップ画像４０２の画像領域に接する位置に配置して表示してもよい。あるいは番組名を含む情報は、トップ画像４０２の画像領域外の位置に配置して表示してもよい。トップ画像が複数ある場合、それぞれのトップ画像に対応した番組名を含む情報は、これらの位置の配置のいずれか１つを含む位置に配置して表示してもよい。番組名を含む情報をトップ画像４０２の画像領域外に配置する場合、番組名を含む情報は、トップ画像４０２の近傍に配置することが望ましい。
【００６３】
選択画面に複数のトップ画像が表示される場合、番組名を含む情報をトップ画像４０２の近傍に配置するとは、観点（テーマ）Ａにおける番組名を含む情報Ａとトップ画像Ａの画像領域との最短距離が、観点（テーマ）Ｂにおけるトップ画像Ｂと番組名を含む情報Ａとの最短距離に比べて短いことが望ましい。選択画面コンテンツに含まれる表示情報は、観点（テーマ）Ａにおける番組名を含む情報Ａとトップ画像Ａの画像領域との最短距離が、観点（テーマ）Ｂにおけるトップ画像Ｂと番組名を含む情報Ａとの最短距離に比べて短くなるように、番組名を含む情報Ａ、トップ画像Ａ、トップ画像Ｂとを表示する位置を設定する。
【００６４】
選択画面５００は、また動画配信サービス１７０と接続するためのアイコン画像が配置されていてもよい。アイコン画像５４０からアイコン画像５４８は、動画配信サービス１７０と接続するためのアイコン画像の例である。また選択画面５００は、放送信号受信装置１４０が録画した番組の録画リストを表示するためのアイコン画像５５０や、自動録画（おまかせ録画と呼んでもよい）の録画リストを表示するためのアイコン画像５５１、受信したメッセージを表示するためのアイコン画像５５２、クラウドサービスサーバ１２０からサービスを受けるために必要となる放送信号受信装置１４０の設定を行うためのアイコン画像５５３、選択画面５００で表示されている内容の検索を行うためのアイコン画像５５４が配置されていてもよい。
【００６５】
なお表示制御手段３２４は、表示する各トップ画像の大きさを、推薦情報に含まれて送られてくる大きさに対して表示情報をもとに任意の大きさに拡大縮小して表示することも可能である。
また表示制御手段３２４が表示する、トップ画像の画像領域内に表示する番組名を含む情報は、例えば放送信号受信装置１４０が認識している現在時刻から近い番組名から順に表示してもよい。現在時刻から近い番組名とは、録画された番組の番組名を表示する場合は、録画日時が現在時刻から近い番組であり、これから放送される番組の番組名を表示する場合は、放送日時が現在時刻から近い番組である。
【００６６】
このように放送信号受信装置１４０は、選択画面コンテンツを受信すると表示制御手段３２４により、視聴を勧める番組や動画コンテンツの観点（テーマ）が表現された任意の大きさを持つトップ画像を任意の数配置した選択画面を、表示装置３４０に表示することが可能である。これによりユーザは、表示装置３４０に表示された選択画面のトップ画像を見ることで、視聴したい番組を直感的に選択することが可能となる。
【００６７】
また放送信号受信装置１４０は、トップ画像の大きさを、そのトップ画像が季節性、短期間性、話題性の高い観点（テーマ）の場合は、大きく表示することが可能なため、ユーザはトップ画像の大きさを見ることで、さらに容易に視聴したい番組を直感的に選択することが可能となる。
【００６８】
また放送信号受信装置１４０は、トップ画像の中に、観点（テーマ）のキーワードに該当する番組や動画コンテンツに関する情報を表示することが可能なため、ユーザは選択画面を見るだけで観点（テーマ）に該当する番組や動画コンテンツの情報を入手することが可能であり、さらに容易に視聴したい番組を直感的に選択することが可能となる。
【００６９】
またトップ画像の中に表示する、観点（テーマ）のキーワードに該当する番組や動画コンテンツの情報は、一般的に放送信号受信装置１４０のユーザごとで異なる。
例えば放送信号受信装置１４０で録画されＨＤＤ１６０や記憶領域３５５に保存されている録画番組は、ユーザごとで異なる。また例えば放送信号受信装置１４０が受信可能な番組は、ユーザが放送信号受信装置１４０を設置した場所や、またユーザがどの有料放送番組と契約したかにより異なる。具体的には、ある場所Ａに設置された放送信号受信装置１４０で受信可能な番組とある場所Ｂに設定された放送信号受信装置１４０で受信可能な番組は、地域の差による受信可能なチャンネルの違いにより必ずしも同じではない。このためユーザが放送信号受信装置１４０を設置した場所により、放送信号受信装置１４０が受信可能な番組は異なる。また例えばユーザが、どの有料放送番組サービスや有料動画配信サービスと受信契約したかにより、放送信号受信装置１４０が受信可能な放送番組や動画コンテンツは異なる。
【００７０】
このように放送信号受信装置１４０が保存する録画番組、あるいは放送信号送信装置１００によりこれから放送される番組、あるいは動画配信サービス１７０により配信される動画コンテンツ等は、放送信号受信装置１４０のユーザによって異なる。
これに対して本発明の実施形態に係る放送信号受信装置１４０は、それぞれのユーザに応じた、放送信号送信装置１００により放送された番組のうち録画した番組、あるいは放送信号送信装置１００によりこれから放送される番組、あるいは動画配信サービス１７０によりネットワーク１８０を介して配信される動画コンテンツ等の中から、トップ画像の中に観点（テーマ）のキーワードに該当する番組や動画コンテンツの情報を選択して表示することが可能なため、ユーザに即した選択画面の表示が可能である。これによりユーザは、ユーザに即した番組や動画コンテンツの中から、さらに容易に視聴したい番組を直感的に選択することが可能となる。
【００７１】
なお図４、図５に示した例は、クラウドサービスサーバ１２０の画像データ作成部１２２においてトップ画像４０２を作成した場合の例であるが、例えばクラウドサービスサーバ１２０は、表示情報に含める推薦情報としてトップ画像を含まず、トップ画像を配置する領域の位置に関する領域情報だけ記載し、処理情報には放送信号受信装置１４０においてトップ画像を生成する処理内容記載してもよい。この場合放送信号受信装置１４０は、例えばキーワードに該当する１つまたは複数の番組の中から、観点（テーマ）に該当する任意の画像データを選択して、トップ画像を生成してもよい。
【００７２】
図６は、本発明の実施形態に係る放送信号受信装置１４０が、クラウドサービスサーバ１２０から送られてきた選択画面コンテンツを表示制御手段３２４で解析し、表示装置３４０に選択画面を表示した場合の他の表示例である。
選択画面６００は、「お天気情報！パック」のトップ画像６１０、「スポーツニュースパック」のトップ画像６２０、「アカデミー賞関連パック」のトップ画像６３０を含む。図６の例は、それぞれトップ画像の中に表示する番組や動画コンテンツの情報として、シーンの情報や、ＶｏＤ（Video On Demand）の動画コンテンツの情報が表示されている例である。
【００７３】
このように放送信号受信装置１４０は、トップ画像の中に、観点（テーマ）のキーワードに該当する番組や動画コンテンツの情報を、放送波で放送される番組に関する情報だけでなくシーンの情報やＶｏＤの動画コンテンツの情報等、いろいろな種類の情報を混ぜて表示することが可能である。
【００７４】
図７は、本発明の実施形態に係る放送信号受信装置１４０が、トップ画像の画像領域内に表示している「もっと見る」がユーザにより選択された場合に表示する、選択画面の表示例である。
番組名の一覧７００は、図５や図６に示したトップ画像に関連する情報を表示するエリア７３０と、トップ画像の観点（テーマ）を表示するエリア７３１と、キーワードに該当する番組の番組名あるいは動画コンテンツ名の一覧を表示するエリア７３２を持つ。キーワードに該当する番組の番組名の一覧を表示するエリア７３２は、現在放送中の番組・録画された番組の一覧を表示するエリアと、これから放送される番組の一覧を表示するエリアと、動画配信サービスで配信される動画コンテンツを表示するエリアを含む。
【００７５】
現在放送中の番組・録画された番組の一覧を表示するエリアは、タイトルとして「放送中／録画番組」を表示するエリア７０１と、番組名を表示するエリア７１１とを含む。図７の例は、キーワードに該当する番組のうち、「放送中／録画番組」に該当する番組がないため、番組名を表示するエリア７１１に番組名が表示されず、「みつかりません」が表示されている例である。
【００７６】
同様にこれから放送される番組の一覧を表示するエリアは、タイトルとして「未来番組」を表示するエリア７０２と、番組名を表示するエリア７１２とを含む。図７の例は、キーワードに該当する番組のうち、「未来番組」に該当する番組が４つ表示されている例である。
【００７７】
同様に動画配信サービスで配信される動画コンテンツの一覧を表示するエリアは、タイトルとして動画配信サービス名の「☆Ｔａｂ」を表示するエリア７０３と、動画コンテンツ名を表示するエリア７１３とを含む。図７の例は、キーワードに該当する動画コンテンツのうち、「☆Ｔａｂ」に該当する動画コンテンツが４つ表示されている例である。
【００７８】
図８は、本発明の実施形態に係る放送信号受信装置１４０が、トップ画像の画像領域内に表示している「もっと見る」がユーザにより選択された場合に表示する、選択画面の他の表示例である。
キーワードに該当する番組の番組名あるいは動画コンテンツ名の一覧を表示するエリア８３２は、動画配信サービスごとに分けて表示してもよい。図８の例は、図７の例で示した動画配信サービス「☆Ｔａｂ」に加えて、動画配信サービス「〇ＴＶ」、「〇〇ＴＶの動画配信」が表示されている例である。図７同様に、動画配信サービスで配信される動画コンテンツ名の一覧を表示するエリア８３２は、タイトルとして動画配信サービス名の「〇ＴＶ」を表示するエリア８０１、「〇〇ＴＶの動画配信」を表示するエリア８０２と、動画コンテンツ名を表示するエリア８１１、８１２とを含む。
【００７９】
また番組や動画コンテンツ以外に、ＣＭ（コマーシャル）もキーワードに該当するか、検索して抽出する対象としてもよい。ＣＭの一覧を表示するエリアは、タイトルとして「ＣＭ」を表示するエリア８０３と、該当するＣＭ名を表示するエリア８１３を含む。図８の例は、キーワードに該当する番組のうち、「ＣＭ」に該当する番組がないため、ＣＭ名を表示するエリア８１３にＣＭ名が表示されず、「みつかりません」が表示されている例である。
【００８０】
図７、図８の例は、キーワードに該当する番組の番組名あるいは動画コンテンツ名の一覧を表示するエリア７３２、８３２を、現在放送中の番組・録画された番組のエリア、これから放送される番組のエリアと、動画配信サービスで配信される動画コンテンツのエリア、ＣＭのエリア、に分けて表示していたが、トップ画像の観点（テーマ）に応じて、エリアの分け方は変えてもよい。
【００８１】
このように放送信号受信装置１４０は、選択画面に表示されるトップ画像の観点（テーマ）に応じて、該当する番組や動画コンテンツの一覧を表示することが出来る。
以上のように放送信号受信装置１４０は、推薦情報を用いることで、視聴したい番組や動画コンテンツをユーザが直感的に選択することが可能な選択画面を、表示することが可能となる。
【００８２】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【００８３】
１００・・・放送信号送信装置、１２０・・・クラウドサービスサーバ、１４０・・・放送信号受信装置、１７０・・・動画配信サービス、３２４・・・表示制御手段、３４０・・・表示装置。
【図１】
2020057918.tif 000003
【図２】
2020057918.tif 000004
【図３】
2020057918.tif 000005
【図４】
2020057918.tif 000006
【図５】
2020057918.tif 000007
【図６】
2020057918.tif 000008
【図７】
2020057918.tif 000009
【図８】
2020057918.tif 000010